(57)【特許請求の範囲】
【請求項１】
トランスポートストリームをデジタル放送受信装置に送信するデジタル放送送信装置であって、
放送番組としての複数の、映像データ及び／又は音声データであるプレゼンテーション情報を記憶しているプレゼンテーション情報記憶手段と、
前記デジタル放送受信装置において、視聴者からの番組予約を受け付けるに際して用いられる、視聴者の番組予約操作を記述している第１スクリプトと、当該第１スクリプトに記述されている番組予約操作がなされたとき番組を特定する情報とその情報を予約登録させることを記述した第２スクリプトとからなる予約制御情報を記憶している予約制御情報記憶手段と、
前記放送番組を特定する情報と、前記放送番組の放送時間と、前記放送番組を特定する前記情報と前記放送番組とともに送信される予約制御情報とを関連付ける情報とを記載している番組スケジュール情報を記憶している番組スケジュール情報記憶手段と、
前記番組スケジュール情報を参照し、前記放送番組の放送時間に相当する送信時間中、当該放送番組のプレゼンテーション情報を読み出したものと、当該放送番組に関連付けられた放送番組の予約制御情報を繰り返し読み出したものとを前記トランスポートストリームに多重化する多重化制御手段と、
前記トランスポートストリームを送信する送信手段とを備えることを特徴とするデジタル放送送信装置。
【請求項２】
前記予約制御情報は、更に、第３スクリプトを含んでおり、第３スクリプトは、番組の予約がされたとき、再生されているプレゼンテーション情報を他のプレゼンテーション情報に変更すること、又は、予約制御情報の一部に含まれているグラフィックデータを再生することを記述していることを特徴とする請求項１記載のデジタル放送送信装置。
【請求項３】
前記プレゼンテーション情報に映像データを含む場合、前記第１スクリプトは、前記デジタル放送受信装置で表示要素として表示される操作オブジェクトを含み、前記プレゼンテーション情報の映像データに基づく映像画面に重ねて表示されることを特徴とする請求項１又は２記載のデジタル放送送信装置。
【請求項４】
前記第２スクリプトは、複数の番組を特定する情報であることを特徴とする請求項３記載のデジタル放送送信装置。
【請求項５】
前記プレゼンテーション情報記憶手段は、前記放送番組としてのプレゼンテーション情報以外に、前記第２スクリプトで特定される番組としてのプレゼンテーション情報を記憶しており、
前記番組スケジュール情報記憶手段は、前記第２スクリプトの番組を特定する情報とその第２スクリプトで特定されている番組の放送時間とを記憶しており、
前記番組の放送時間を記録したEIT(Event Information Table)を生成するシステムテーブル生成手段を更に備え、
前記多重化制御手段は、生成された前記EITを前記番組の放送の所定時間前から前記トランスポートストリームに繰り返し多重化し、前記プレゼンテーション情報記憶手段に記憶されているプレゼンテーション情報を読み出し、前記放送時間に相当する送信時間中前記トランスポートストリームに多重化することを特徴とする請求項３記載のデジタル放送送信装置。
【請求項６】
前記第２スクリプトに含まれる番組を特定する情報は、original_network_id, transport_stream_id, service_id, event_idの組からなり、前記システムテーブル生成手段は、前記組で特定される番組のプレゼンテーション情報を前記デジタル放送受信装置で抽出するためのシステムテーブル群を生成し、
前記多重化制御手段は、生成されたシステムテーブル群を前記番組の放送の所定時間前から前記トランスポートストリームに繰り返し多重化することを特徴とする請求項５記載のデジタル放送送信装置。
【請求項７】
デジタル放送送信装置から送信される放送番組の映像データ及び／又は音声データである複数のプレゼンテーション情報と、番組予約のための予約制御情報とが多重化されたトランスポートストリームを受信するデジタル放送受信装置であって、
前記トランスポートストリームには、前記放送番組の放送時間に相当する送信時間中、当該放送番組のプレゼンテーション情報と、当該放送番組に関連付けられた放送番組の予約制御情報を繰り返したものとが多重化されており、
前記トランスポートストリームを受信して、プレゼンテーション情報と、視聴者の番組予約操作を記述している第１スクリプトと、当該第１スクリプトに記述されている番組予約操作がなされたとき番組を特定する情報とその情報を予約登録させることを記述した第２スクリプトとからなる予約制御情報とを抽出する受信抽出手段と、
前記抽出されたプレゼンテーション情報に映像データを含む場合、映像データに基づく映像画面を外部のディスプレイへ表示させる表示処理手段と、
視聴者から番組予約操作を受け付ける番組予約受付手段と、
前記第１スクリプトを解釈し、前記番組予約操作が前記第１スクリプトの内容と一致すると、前記第２スクリプトを実行するスクリプト解釈実行手段とを備えることを特徴とするデジタル放送受信装置。
【請求項８】
前記予約制御情報は、更に、第３スクリプトを含んでおり、第３スクリプトは、番組の予約がされたとき、再生されているプレゼンテーション情報を他のプレゼンテーションに変更すること、又は、予約制御情報の一部に含まれているグラフィックデータを再生することを記述しており、
前記スクリプト解釈実行手段は、
前記第３スクリプトを解釈する第３スクリプト解釈部と、
前記第３スクリプトの解釈結果がプレゼンテーション情報の変更のとき、他のプレゼンテーション情報への抽出切換えをするよう前記受信抽出手段を制御し、グラフィックデータの再生のとき、前記予約制御情報からグラフィックデータを抽出し、グラフィックデータを表示するよう前記表示処理手段を制御する情報抽出制御部とを有し、
前記表示処理手段は、前記映像画面にグラフィックデータを重ねて外部のディスプレイに表示させることを特徴とする請求項７記載のデジタル放送受信装置。
【請求項９】
前記第１スクリプトは、更に操作オブジェクトを含んでおり、
前記表示処理手段は、前記操作オブジェクトを前記映像画面に重ねて表示する、ことを特徴とする請求項７又は８記載のデジタル放送受信装置。
【請求項１０】
前記第２スクリプトは、複数の番組を特定する情報であり、
前記番組予約受付手段が視聴者から番組予約操作を受け付けると、前記スクリプト解釈実行手段によって第２スクリプトの実行の際に認識される全ての番組を特定する情報を記憶する番組情報記憶手段を更に備えることを特徴とする請求項９記載のデジタル放送受信装置。
【請求項１１】
前記トランスポートストリームには、予約番組に対応するEITと予約番組としてのプレゼンテーション情報が多重化されており、
前記スクリプト解釈実行手段で得られた番組を特定する情報を記憶する番組情報記憶手段と、時刻を計時するタイマとを更に備え、
前記スクリプト解釈実行手段は、前記番組情報記憶手段に記憶されている番組の情報で特定される番組が記載されたEITを抽出するよう前記受信抽出手段を制御し、前記タイマに計時されている現在時刻を参照し、前記EITに記載された放送時間に到達すると、又は、既に到達していると、前記予約番組としてのプレゼンテーション情報を抽出するよう前記受信抽出手段を制御することを特徴とする請求項９記載のデジタル放送受信装置。
【請求項１２】
前記トランスポートストリームには、システムテーブルが多重化されており、前記第２スクリプトに含まれる番組を特定する情報は、original_network_id, transport_stream_id, service_id, event_idの組からなり、システムテーブルは、この組で特定される番組を抽出するためのテーブルであり、
前記スクリプト解釈実行手段は、システムテーブルを抽出するよう前記受信抽出手段を制御し、前記EITに加えて、抽出したシステムテーブルを参照し、前記受信抽出手段を制御することを特徴とする請求項１１記載のデジタル放送受信装置。
【請求項１３】
トランスポートストリームを送信するデジタル放送送信装置とトランスポートストリームを受信して外部のディスプレイに番組予約画面を表示させるデジタル放送受信装置とからなるデジタル放送送受信システムであって、
前記デジタル放送送信装置は、
放送番組としての複数の、映像データ及び／又は音声データであるプレゼンテーション情報を記憶しているプレゼンテーション情報記憶手段と、
前記デジタル放送受信装置において、視聴者からの番組予約を受け付けるに際して用いられる、視聴者の番組予約操作を記述している第１スクリプトと、当該第１スクリプトに記述されている番組予約操作がなされたとき番組を特定する情報とその情報を予約登録させることを記述した第２スクリプトとからなる予約制御情報を記憶している予約制御情報記憶手段と、
前記放送番組を特定する情報と、前記放送番組の放送時間と、前記放送番組を特定する前記情報と前記放送番組とともに送信される予約制御情報とを関連付ける情報とを記載している番組スケジュール情報を記憶している番組スケジュール情報記憶手段と、
前記番組スケジュール情報を参照し、前記放送番組の放送時間に相当する送信時間中、当該放送番組のプレゼンテーション情報を読み出したものと、当該放送番組に関連付けられた放送番組の予約制御情報を繰り返し読み出したものとを前記トランスポートストリームに多重化する多重化制御手段と、
前記トランスポートストリームを送信する送信手段とを備え、
前記デジタル放送受信装置は、
前記トランスポートストリームを受信して、プレゼンテーション情報と予約制御情報とを抽出する表示処理手段と、
前記プレゼンテーション情報に映像データを含む場合、映像データに基づく映像画面を前記ディスプレイへ表示させる表示処理手段と、
視聴者から番組予約操作を受け付ける番組予約受付手段と、
前記第１スクリプトを解釈し、前記番組予約操作が前記第１スクリプトの内容と一致すると、前記第２スクリプトを実行するスクリプト解釈実行手段とを備えることを特徴とするデジタル放送送受信システム。
【請求項１４】
デジタル放送送信装置から送信される放送番組の映像データ及び／又は音声データである複数のプレゼンテーション情報と、番組予約のための予約制御情報とが多重化されたトランスポートストリームを受信して、前記映像データの映像信号を出力し、外部のディスプレイに表示するデジタル放送受信装置に適用されるプログラムを記録したコンピュータ読み取り可能な記録媒体であって、
前記トランスポートストリームには、前記放送番組の放送時間に相当する送信時間中、当該放送番組のプレゼンテーション情報と、当該放送番組に関連付けられた放送番組の予約制御情報を繰り返したものとが多重化されており、
前記トランスポートストリームを受信して、プレゼンテーション情報と視聴者の番組予約操作を記述している第１スクリプトと、当該第１スクリプトに記述されている番組予約操作がなされたとき番組を特定する情報とその情報を予約登録させることを記述した第２スクリプトとからなる予約制御情報とを抽出する受信抽出手段と、
前記プレゼンテーション情報に映像データを含む場合、映像データに基づく映像画面を前記ディスプレイへ表示させる表示処理手段と、
視聴者から番組予約操作を受け付ける番組予約受付手段と、
前記第１スクリプトを解釈し、前記番組予約操作が前記第１スクリプトの内容と一致すると、前記第２スクリプトを実行するスクリプト解釈手段との各機能を発揮するプログラムを記録した記録媒体。
【請求項１５】
トランスポートストリームをデジタル放送受信装置に送信するデジタル放送送信方法であって、
放送番組としての複数の、映像データ及び／又は音声データであるプレゼンテーション情報を記憶しているプレゼンテーション情報記憶ステップと、
前記デジタル放送受信方法において、視聴者からの番組予約を受け付けるに際して用いられる、視聴者の番組予約操作を記述している第１スクリプトと、当該第１スクリプトに記述されている番組予約操作がなされたとき番組を特定する情報とその情報を予約登録させることを記述した第２スクリプトとからなる予約制御情報を記憶する予約制御情報記憶ステップと、
前記放送番組を特定する情報と、前記放送番組の放送時間と、前記放送番組を特定する前記情報と前記放送番組とともに送信される予約制御情報とを関連付ける情報とを記載している番組スケジュール情報を記憶する番組スケジュール情報記憶ステップと、
前記番組スケジュール情報を参照し、前記放送番組の放送時間に相当する送信時間中、当該放送番組のプレゼンテーション情報を読み出したものと、当該放送番組に関連付けられた放送番組の予約制御情報を繰り返し読み出したものとを前記トランスポートストリームに多重化する多重化制御ステップと、
前記トランスポートストリームを送信する送信ステップを有することを特徴とするデジタル放送送信方法。
【請求項１６】
デジタル放送送信装置から送信される放送番組の映像データ及び／又は音声データである複数のプレゼンテーション情報と、番組予約のための予約制御情報とが多重化されたトランスポートストリームを受信するデジタル放送受信方法であって、
前記トランスポートストリームには、前記放送番組の放送時間に相当する送信時間中、当該放送番組のプレゼンテーション情報と、当該放送番組に関連付けられた放送番組の予約制御情報を繰り返したものとが多重化されており、
前記トランスポートストリームを受信して、プレゼンテーション情報と、視聴者の番組予約操作を記述している第１スクリプトと、当該第１スクリプトに記述されている番組予約操作がなされたとき番組を特定する情報とその情報を予約登録させることを記述した第２スクリプトとからなる予約制御情報とを抽出する受信抽出ステップと、
前記抽出されたプレゼンテーション情報に映像データを含む場合、映像データに基づく映像画面を外部のディスプレイへ表示させる表示処理ステップと、
視聴者から番組予約操作を受け付ける番組予約受付ステップと、
前記第１スクリプトを解釈し、前記番組予約操作が前記第１スクリプトの内容と一致すると、前記第２スクリプトを実行するスクリプト解釈実行ステップとを有することを特徴とするデジタル放送受信方法。
【発明の詳細な説明】
【０００１】
【発明の属する技術分野】
本発明は、デジタルＴＶ放送システムの番組予約に関する。
【０００２】
【従来の技術】
従来、テレビ放送の番組を録画予約する方法には、第１の方法として、視聴者は、番組表等の印刷物を見ながらリモコンを用いて、視聴月日と、録画開始・終了時刻と、視聴チャネル等とを入力する方法がある。近年、この第１の方法の操作の煩雑さから視聴者を解放するため、Ｇコードと呼ばれる数桁の数字を入力して、番組を録画予約する第２の方法も普及している。
【０００３】
また、デジタル衛星放送においては、第３の方法として、ＥＰＧ（Ｅｌｅｃｔｒｏｎｉｃ  Ｐｒｏｇｒａｍ  Ｇｕｉｄｅ）を利用して番組を録画予約する方法がある。
【０００４】
【発明が解決しようとしている課題】
ところが、上記第１の方法では、手元に番組表等の印刷物が必要であり、ＴＶ画面を見ながら簡単に録画予約をすることはできない。上記第２の方法では、Ｇコードを解読できる機能を録画装置が備える必要がある。
また、上記第３の方法では、ＴＶ画面を見ながら簡単に録画予約をすることができるけれども、放送局から送信されるＴＶ画面に表示される予約のための表示画面は、画一的である。更に、受信装置では、放送中の番組とは無関係にＥＰＧを表示させて録画予約するものであり、複数の番組を一度に予約することはできない。
【０００５】
本発明は、上記課題に鑑み、放送番組の多彩な映像中に予約のための変化ある表示画面を表示させるような放送をすることのできるデジタル放送送信装置を提供することを第１の目的とし、視聴者が放送番組を見ながら番組予約ができるデジタル放送受信装置を提供することを第２の目的とし、これらの２つの目的を達成するデジタル放送送受信システムを提供することを第３の目的とする。
【０００６】
上記課題を解決するため、本発明は、トランスポートストリームを送信するデジタル放送送信装置とトランスポートストリームを受信して外部のディスプレイに番組予約画面を表示させるデジタル放送受信装置とからなるデジタル放送送受信システムであって、前記デジタル放送送信装置は、放送番組としての複数の、映像データ及び／又は音声データであるプレゼンテーション情報を記憶しているプレゼンテーション情報記憶手段と、前記デジタル放送受信装置において、視聴者からの番組予約を受け付けるに際して用いられる、視聴者の番組予約操作を記述している第１スクリプトと、当該第１スクリプトに記述されている番組予約操作がなされたとき番組を特定する情報とその情報を予約登録させることを記述した第２スクリプトとからなる予約制御情報を記憶している予約制御情報記憶手段と、前記放送番組を特定する情報と、前記放送番組の放送時間と、前記放送番組を特定する前記情報と前記放送番組とともに送信される予約制御情報とを関連付ける情報とを記載している番組スケジュール情報を記憶している番組スケジュール情報記憶手段と、前記番組スケジュール情報を参照し、前記放送番組の放送時間に相当する送信時間中、当該放送番組のプレゼンテーション情報を読み出したものと、当該放送番組に関連付けられた放送番組の予約制御情報を繰り返し読み出したものとを前記トランスポートストリームに多重化する多重化制御手段と、前記トランスポートストリームを送信する送信手段とを備え、前記デジタル放送受信装置は、前記トランスポートストリームを受信して、プレゼンテーション情報と予約制御情報とを抽出する表示処理手段と、前記プレゼンテーション情報に映像データを含む場合、映像データに基づく映像画面を前記ディスプレイへ表示させる表示処理手段と、視聴者から番組予約操作を受け付ける番組予約受付手段と、前記第１スクリプトを解釈し、前記番組予約操作が前記第１スクリプトの内容と一致すると、前記第２スクリプトを実行するスクリプト解釈実行手段とを備えることとしている。
【０００７】
【発明の実施の形態】
以下、本発明に係るデジタル放送送受信システムの一実施の形態を図面を用いて説明する。
（実施の形態）
図１は、本発明に係るデジタル放送送受信システムの一実施の形態の構成図である。
【０００８】
このデジタル放送送受信システムは、デジタル放送送信装置１０１と、デジタル放送受信装置１０２とを備え、デジタル放送送信装置１０１から送信されるトランスポートストリームは放送経路１０３を介してデジタル放送受信装置に受信される。
放送経路１０３は、デジタル放送送信装置１０１からデジタル放送受信装置１０２にトランスポートストリームを伝送する経路であり、伝送方法として、例えば衛星伝送、地上波伝送、ケーブル伝送を採用できる。
【０００９】
このデジタル放送送受信システムは、ＭＰＥＧ２（Ｍｏｖｉｎｇ  Ｐｉｃｔｕｒｅ  Ｅｘｐｅｒｔｓ  Ｇｒｏｕｐ  ２）ビデオ規格、システム規格及びＤＶＢ（Ｄｉｇｉｔａｌ  Ｖｉｄｅｏ  Ｂｒｏａｄｃａｓｔｉｎｇ）規格に基づいている。
なお。ＭＰＥＧ２の規格については、「最新ＭＰＥＧ教科書」（１９９５年マルチメディア通信研究会編  株式会社アスキー）に詳述されている。また、ＤＶＢ規格については、Ｅｕｒｏｐｅａｎ  Ｃｏｍｍｕｎｉｃａｔｉｏｎ  Ｓｔａｎｄａｒｄ  ３００  ４６８に記述されている。
（デジタル放送送信装置１０１の構成）
デジタル放送送信装置１０１は、Ａ／Ｖ（Ａｕｄｉｏ  Ｖｉｄｅｏ）データ記憶部１１１と、番組スケジュール情報記憶部１１２と、予約制御情報記憶部１１３と、システムテーブル生成部１１４と、送信制御部１１５と、多重化部１１６と、送信部１１７とを備えている。
【００１０】
Ａ／Ｖデータ記憶部１１１は、ハードディスクや光ディスク等の記憶部材からなり、予めデジタル化された、動画データと静止画データとを含む映像データと、音声データとを記憶している。これらの各データは、ファイル名等により、固有の識別番号が付されている。本実施の形態では、これらの個々のＡ／Ｖデータは、デジタル放送本来の番組を構成するデータであり、以後プレゼンテーション情報と呼ぶ。また、各プレゼンテーション情報に付された識別番号をプレゼンテーションＩＤと呼ぶ。
【００１１】
図２は、Ａ／Ｖデータ記憶部１１１に記憶されているプレゼンテーション情報の例を模式的に示したものである。プレゼンテーションＩＤ「３」で識別されるプレゼンテーション情報２０１は動画データであり、プレゼンテーションＩＤ「７」で識別されるプレゼンテーション情報２０２は静止画データである。ここでは、映像データであることを模式的に示しているけれども、実際にはデジタルデータとして記憶されている。
【００１２】
なお、ファイル名は、必ずしもプレゼンテーションＩＤそのものである必要はなく、例えばプレゼンテーション情報の種類を拡張子に対応付けて、プレゼンテーションＩＤ「３」の動画データを「３．ｖｉｄ」、プレゼンテーションＩＤ「７」の静止画データを「７．ｉｍｇ」のようにしてもよい。
また、図示していないけれども、プレゼンテーション情報には、音声データもプレゼンテーションＩＤを付されてＡ／Ｖデータ記憶部１１１に記憶されている。
【００１３】
番組スケジュール情報記憶部１１２は、ハードディスクや光ディスク等の記憶部材からなり、番組スケジュール情報を記憶している。この番組スケジュール情報は、後述する予約制御情報と番組とを関連付け、その予約制御情報で予約対象とされる番組を示す情報である。
図３は、番組スケジュール情報の一例を示す図である。番組スケジュール情報３０１には、番組を構成するプレゼンテーション情報を識別するプレゼンテーションＩＤ欄３０２と、その番組のプレゼンテーション情報とともに送信される予約制御情報を識別する予約制御情報ＩＤ欄３０３と、番組の放送開始日時を示すｓｔａｒｔ＿ｔｉｍｅ欄３０４と、その番組の放送時間を示すｄｕｒａｔｉｏｎ欄３０５と、番組情報を特定するための、ｏｒｉｇｉｎａｌ＿ｎｅｔｗｏｒｋ＿ｉｄ欄３０６と、ｔｒａｎｓｐｏｒｔ＿ｓｔｒｅａｍ＿ｉｄ欄３０７と、ｓｅｒｖｉｃｅ＿ｉｄ欄３０８と、ｅｖｅｎｔ＿ｉｄ欄３０９とが設けられている。また、プレゼンテーションＩＤ欄３０２は、映像データ（ｖｉｄｅｏ）欄３１０と音声データ（ａｕｄｉｏ）欄３１１とに区分されている。
【００１４】
番組スケジュール情報３０１の第１行には、プレゼンテーションＩＤが「３」と「７」とで識別される映像データとプレゼンテーションＩＤが「４」で識別される音声データとで構成される番組中に、予約制御情報ＩＤが「１」で識別される予約制御情報が同時に送信されることを示している。ここで、プレゼンテーションＩＤ「３」と「７」とで識別される複数のプレゼンテーション情報が一つの番組に記載されているように、一つの番組において、複数の映像データ及び又は音声データを含めることができる。
【００１５】
また、ｏｒｉｇｉｎａｌ＿ｎｅｔｗｏｒｋ＿ｉｄ、ｔｒａｎｓｐｏｒｔ＿ｓｔｒｅａｍ＿ｉｄ、ｓｅｒｖｉｃｅ＿ｉｄ及びｅｖｅｎｔ＿ｉｄは、ＤＶＢ規格で規定されており、これらの組で１つの番組を特定できる。
また、ｓｔａｒｔ＿ｔｉｍｅとｄｕｒａｔｉｏｎとは、同様にＤＶＢ規格のＥＩＴ（Ｅｖｅｎｔ  Ｉｎｆｏｒｍａｔｉｏｎ  Ｔａｂｌｅ）の放送開始時刻と放送時間との情報として示される。この番組は、１９９９年１月１日の１２時から５分間に亘り放送されることを示している。
【００１６】
予約制御情報記憶部１１３は、ハードディスクや光ディスク等の記憶部材からなり、番組本来のプレゼンテーション情報とともに送信される予約制御情報を記憶している。この予約制御情報は、ファイル名等により、固有の識別情報が付されている。ここで識別情報は、識別番号としている。
図４は、上述した番組スケジュール情報３０１の予約制御情報ＩＤ「１」で識別される予約制御情報（以下「ＲＣＩ（Ｒｅｓｅｒｖｅ  Ｃｏｎｔｒｏｌ  Ｉｎｆｏｒｍａｔｉｏｎ）」という。）を示している。ＲＣＩ４０１には、ＲＣＩ  ＩＤ「１」が付されている。ＲＣＩ４０１は、表示要素情報（Ｓｃｒｅｅｎ  Ｅｌｅｍｅｎｔ  Ｉｎｆｏｒｍａｔｉｏｎ  ）４０２と、番組予約操作制御情報（Ｐｒｏｇｒａｍ  Ｒｅｓｅｒｖｅ  ａｎｄ  Ｍａｎｉｐｕｌａｔｉｏｎ  Ｃｏｎｔｒｏｌ  Ｉｎｆｏｒｍａｔｉｏｎ  ）４０３とからなる。
【００１７】
表示要素情報４０２には、番組の映像に重ねて表示される表示要素データが記載されている。
第１列４１１には、表示要素であるグラフィックオブジェクトの固有のＩＤが割り当てられている。第２列４１２には、グラフィックオブジェクトの名前が記録されている。第３列４１３には、グラフィックオブジェクトの表示位置座標が、表示画面の左上端位置を（０，０）として記録されている。第４列４１４には、グラフィックオブジェクトの大きさが記録されている。第５列４１５には、グラフィックオブジェクトのデフォルトの表示状態が記録されている。第６列４１６には、グラフィックオブジェクトのタイプが記録されている。第７列４１７には、グラフィックオブジェクトのデータが記録されている。
【００１８】
ＩＤ「１」、「５」、「６」の各グラフィックオブジェクトは、テキストボックスタイプのものであり、番組予約のための説明文をその内容としている。ここでＩＤ「５」の「トウロク」のグラフィックオブジェクトは、初期表示の状態では、非表示とされる。ＩＤ「２」、「３」、「４」の「ボタン１」、「ボタン２」、「ボタン３」の各グラフィックオブジェクトは、ビットマップタイプのものであり、デジタル放送受信装置１０２で表示画面に表示要素として表示された際、操作オブジェクトとなる。
【００１９】
番組予約操作制御情報４０３は、上述した表示要素情報４０２中の操作オブジェクトとなる表示要素４２１，４２２，４２３ごとの入力操作情報４２４，４２５，４２６と、番組特定情報４２７，４２８，４２９と、表示制御情報４３０，４３１，４３２とからなる。
入力操作情報４２４，４２５，４２６は、デジタル放送受信装置１０２において、表示要素４２１，４２２，４２３の各ボタン操作を記述している。各ボタン操作に対応する信号の入力があったとき、番組特定情報４２７，４２８，４２９でそれぞれ示される番組の予約がされる。
【００２０】
ここで、番組特定情報４２７は、スクリプト「ｒｅｓｅｒｖｅ」（予約命令）で識別番号（８，２，９，３８）の組の番組を特定して予約することを示している。この識別番号は、（ｏｒｉｇｉｎａｌ＿ｎｅｔｗｏｒｋ＿ｉｄ，  ｔｒａｎｓｐｏｒｔ＿ｓｔｒｅａｍ＿ｉｄ，    ｓｅｒｖｉｃｅ＿ｉｄ，    ｅｖｅｎｔ＿ｉｄ）の組であり、図３で示したプレゼンテーションＩＤ「１０」、「２０」のプレゼンテーション情報からなる番組を特定している。同様に、番組特定情報４２８は、プレゼンテーションＩＤ「１１」、「２１」のプレゼンテーション情報で構成される番組を予約することを示している。
【００２１】
また、入力操作情報４２６に対しては、番組特定情報４２９は、プレゼンテーションＩＤ「１０」、「２０」のプレゼンテーション情報で構成される番組と、プレゼンテーションＩＤ「１１」、「２１」のプレゼンテーション情報で構成される番組とを２番組同時に予約することを示している。
表示制御情報４３０，４３２は、入力操作情報４２４，４２６に対して、デジタル放送受信装置１０２の表示画面の変更指示を示している。スクリプト「ｃｈａｎｇｅ＿ｖｉｓｉｂｉｌｉｔｙ」（表示・非表示変更命令）で表示要素ＩＤ「５」のグラフィックオブジェクトの表示状態を変更することを、スクリプト「ｃｈａｎｇｅ＿ｐｒｅｓｅｎｔａｔｉｏｎ」（プレゼンテーション情報変更命令）でプレゼンテーションＩＤ「７」のプレゼンテーション情報に現在表示中のプレゼンテーション情報から変更することをそれぞれ指示している。
【００２２】
表示制御情報４３１は、入力操作情報４２５に対して、表示要素ＩＤ「５」のグラフィックオブジェクトの表示・非表示状態の変更を指示している。
このようにＲＣＩ４０１は、番組制作者が予め番組スケジュール情報で関連させた番組（例えば番組宣伝番組）の放送中に（宣伝対象の）番組の予約を受け付けることができるようにした情報である。
【００２３】
ＲＣＩ４０１に記載された予約操作制御情報４０３のデジタル放送受信装置１０２での具体的な利用方法を説明する。
デジタル放送受信装置１０２において、視聴者がリモコンキー「１」を押下したとき、その信号は、入力操作情報４２４に対応するので、番組特定情報４２７で特定される番組「日本紀行」の第１話が予約される。更に、表示制御情報４３０によって、ＩＤ「５」の表示要素「予約登録しました」を非表示状態から表示状態に変更され、予約画面の背景となるプレゼンテーション情報がプレゼンテーションＩＤ「７」のプレゼンテーション情報に変更される。
【００２４】
また、視聴者がリモコンキー「２」を押下したとき、その信号は入力操作情報４２５に対応するので、番組特定情報４２８で特定される番組「日本紀行」の第２話が予約される。更に、表示制御情報４３１によって、ＩＤ「５」の表示要素「予約登録しました」を非表示状態から表示状態に変更される。
また、視聴者がリモコンキー「３」を押下したとき、その信号は入力操作情報４２６に対応するので、番組特定情報４２９で特定される２つの番組「日本紀行」の第１話と第２話とが予約される。更に表示制御情報４３２により、表示制御情報４３０と同様の表示画面の変更がなされる。
【００２５】
なお、ＲＣＩ４０１の表示要素情報４０２をデジタル放送受信装置１０２でプレゼンテーション情報を省略して表示させると、初期状態では、図５に示すようになる。
システムテーブル生成部１１４は、送信制御部１１５からの指示を受けて、番組スケジュール情報記憶部１１２に記憶されている番組スケジュール情報３０１を読み出し、ＤＶＢ，  ＭＰＥＧ２規格に従うＮＩＴ（Ｎｅｔｗｏｒｋ  Ｉｎｆｏｒｍａｔｉｏｎ  Ｔａｂｌｅ），  ＳＤＴ（Ｓｅｒｖｉｃｅ  Ｄｅｓｃｒｉｐｔｉｏｎ  Ｔａｂｌｅ），  ＥＩＴ（Ｅｖｅｎｔ  Ｉｎｆｏｒｍａｔｉｏｎ  Ｔａｂｌｅ），  ＰＡＴ（（Ｐｒｏｇｒａｍ  Ａｓｓｏｃｉａｔｉｏｎ  Ｔａｂｌｅ），  ＰＭＴ（Ｐｒｏｇｒａｍ  Ｍａｐ  Ｔａｂｌｅ）等のシステムテーブルを生成する。図６〜図１０は、ＲＣＩ４０１が多重化されるトランスポートストリームに多重化される各システムテーブルの一例を示している。
【００２６】
ＮＩＴ６０１には、パケット識別子ＰＩＤ＝０ｘ００１０が付与され、ｏｒｉｇｉｎａｌ＿ｎｅｔｗｏｒｋ＿ｉｄ「８」でｔｒａｎｓｐｏｒｔ＿ｓｔｒｅａｍ＿ｉｄ「２」及び「３」で識別されるトランスポートストリームが送信されている情報、その周波数や変調方式に関する仕様（図示せず）が示されている。（図６）。
ＳＤＴ７０１には、パケット識別子ＰＩＤ＝０ｘ００１１が付与され、ｓｅｒｖｉｃｅ＿ｉｄ「５」で識別されるｓｅｒｖｉｃｅ名等の情報が一例として示されている（図７）。なお、ＳＤＴ７０１は、ｔｒａｎｓｐｏｒｔ＿ｓｔｒｅａｍ＿ｉｄ「３」についてのものである。
【００２７】
ＥＩＴ８０１には、パケット識別子ＰＩＤ＝０ｘ００１２が付与され、ｅｖｅｎｔ＿ｉｄ「１０」で識別される番組の放送開始時刻と放送時間とが一例として示されている（図８）。
ＰＡＴ９０１には、パケット識別子ＰＩＤ＝０ｘ００００が付与され、ｐｒｏｇｒａｍ＿ｎｕｍｂｅｒ「５」（ｓｅｒｖｉｃｅ＿ｉｄと同一）に対応するＰＭＴのＰＩＤが一例として示されている（図９）。
【００２８】
ＰＭＴ１００１には、パケット識別子ＰＩＤ＝０ｘ００３０が付与され、プレゼンテーション情報とＲＣＩ４０１とのタイプ別にパケット識別子ＰＩＤがそれぞれ与えられている（図１０）。
システムテーブル生成部１１４は、各システムテーブルの生成が終了すると送信制御部１１５に生成したシステムテーブルを通知する。
【００２９】
送信制御部１１５は、通知されたＰＭＴ１００１を参照し、Ａ／Ｖデータ記憶部１１１に記憶されているプレゼンテーション情報と予約制御情報記憶部１１３に記憶されているＲＣＩ４０１とを読み出し、パケット識別子ＰＩＤを付与して、多重化部１１６に通知する。この際ＲＣＩの表示制御情報４３０，４３２にプレゼンテーションＩＤが含まれているときには、ＰＭＴ１００１に記録されている対応するＰＩＤに変換する。例えば、図４に示した表示制御情報４３０中の「ｃｈａｎｇｅ＿ｐｒｅｓｅｎｔａｔｉｏｎ７」は、「ｃｈａｎｇｅ＿ｐｒｅｓｅｎｔａｔｉｏｎ０ｘ００５１」と変換される。
【００３０】
送信制御部１１５は、番組スケジュール情報記憶部１１２に記憶されている番組スケジュール情報３０１中のｓｔａｒｔ＿ｔｉｍｅ（放送開始時刻）がデジタル放送受信装置１０２で、番組の再生出力が可能となるデータ送出開始時刻に到達したとき、多重化部１１６にプレゼンテーション情報とＲＣＩ４０１とのトランスポートストリームへの多重化を指示する。また、放送終了時刻に基づいて定められるデータ送出終了時刻に到達すれば、その多重化の停止を指示する。
【００３１】
なお、データ送出開始時刻は、放送経路１０３等での遅延等を考慮した時刻であり、通常、放送開始時刻よりも０．１〜数秒程度早い時刻としている。
多重化部１１６は、送信制御部１１５から多重化の指示を受けると、トランスポートストリームにプレゼンテーション情報とＲＣＩ４０１とを符号化（いわゆるソースコーディングと呼ばれる処理）および多重化して送信部１１７に送出する。また、送信制御部１１５から多重化の停止の指示を受けると、当該プレゼンテーション情報とＲＣＩ４０１との多重化を停止する。
【００３２】
なお、多重化部１１６は、各システムテーブル６０１等についても、トランスポートストリームに多重化するが、システムテーブル６０１等の多重化については、特開平１０−３０４３２５号公報に記載されているので、その説明を省略する。
送信部１１７は、多重化部１１６から送出されてきたトランスポートストリームを放送経路１０３を介してデジタル放送受信装置１０２に送信する。
【００３３】
図１１は、図２に示したプレゼンテーションＩＤ「３」、「７」で識別されるプレゼンテーション情報と音声データのプレゼンテーション情報とＲＣＩ４０１と各システムテーブル６０１等とが多重化されたトランスポートストリームを模式的に示した図である。
トランスポートストリーム１１０１は、放送番組の本体であるプレゼンテーション情報１１０２と、パケット識別子ＰＩＤ＝０ｘ００５０，０ｘ００５１で識別されるプレゼンテーション情報（図２に示したプレゼンテーションＩＤ「３」、「７」で識別される映像データ）１１０３に重ねて表示される番組予約のための表示要素情報４０２を含むＲＣＩ１１０４と、各システムテーブル１１０５とが多重化されている。
【００３４】
ここで、ＲＣＩ１１０４及び各システムテーブル１１０５とは、トランスポートストリーム１１０１のプライベートセクションに多重化されている。
また、ＲＣＩ１１０４は、プレゼンテーション情報１１０２の送信時間に亘り、繰り返し多重化されている。
（デジタル放送送信装置１０１の動作）
次に、本実施の形態の動作について、図１２に示すフローチャートを用いて説明する。
【００３５】
まず、システムテーブル生成部１１４は、番組スケジュール情報記憶部１１２に記憶されている番組スケジュール情報に従いＮＩＴ等の各システムテーブルを作成する（Ｓ１２０２）。
送信制御部１１５は、作成された各システムテーブルの通知をシステムテーブル生成部１１４から受けると、ＰＭＴを参照して、Ａ／Ｖデータ記憶部１１１に記憶されている各プレゼンテーション情報と、予約制御情報記憶部１１３に記憶されているＲＣＩとにそれぞれ固有のパケット識別子ＰＩＤを付与する（Ｓ１２０４）。
【００３６】
送信制御部１１５は、ＲＣＩの表示制御情報中にプレゼンテーションＩＤが含まれているときには、Ｓ１２０４でプレゼンテーション情報に付与された対応するＰＩＤに変換する（Ｓ１２０６）。
次に、送信制御部１１５は、番組スケジュール情報記憶部１１２に記憶されている番組スケジュール情報中のｓｔａｒｔ＿ｔｉｍｅに基づいて定められるデータ送出開始時刻に到達するのを待ち（Ｓ１２０８）、多重化部１１６に多重化指示をする。
【００３７】
多重化部１１６は、送信制御部１１５の指示に従い、各プレゼンテーション情報とＲＣＩとを符号化した後、トランスポートストリームに多重化し、送出部１１７に送出する（Ｓ１２１０）。
送出部１１７は、各プレゼンテーション情報、ＲＣＩ及び各システムテーブルを多重化したトランスポートストリームを放送経路１０３を介して、デジタルデータ受信装置１０２に送信する（Ｓ１２１２）。
【００３８】
受信制御部１１５は、番組スケジュール情報中のｓｔａｒｔ＿ｔｉｍｅとｄｕｒａｔｉｏｎ（放送時間）とによって定まる放送終了時刻から定められるデータ送出終了時刻に到達すると、多重化部１１６に多重化の停止を指示し（Ｓ１２１４）、処理を終了する。
（デジタル放送受信装置１０２の構成）
デジタル放送受信装置１０２は、受信部１２１と、ＴＳ（トランスポートストリーム）デコーダ部１２２と、Ａ／Ｖデコーダ部１２３と、再生部１２４と、音声出力部１２５と、映像出力部１２６と、システムテーブル記憶部１２７と、予約制御情報記憶部１２８と、入力受信部１２９と、受信制御部１３０と、予約情報記憶部１３１と、時間管理部１３２とを備えている。
【００３９】
受信部１２１は、放送経路１０３を介してデジタル放送送信装置１０１から送信されてくるトランスポートストリームを受信し、受信制御部１３０から指定されたｔｒａｎｓｐｏｒｔ＿ｓｔｒｅａｍ＿ｉｄに対応するトランスポートストリームのみをＴＳデコーダ部１２２に出力する。
ＴＳデコーダ部１２２は、受信制御部１３０により指定されたＰＩＤ（パケット識別子）を分離条件として、ＮＩＴ，  ＳＤＴ，  ＥＩＴ，  ＰＡＴ，  ＰＭＴ等の各システムテーブルを受信部１２１から入力されるトランスポートストリームから抽出し、システムテーブル記憶部１２７に書き込む。
【００４０】
また、受信制御部１３０により指定されたＰＩＤを有するプレゼンテーション情報を抽出し、Ａ／Ｖデコーダ部１２３に出力する。
同様に、指定されたＰＩＤを分離条件としてＲＣＩを抽出し、予約制御情報記憶部１２８に書き込む。
Ａ／Ｖデコーダ部１２３は、ＴＳデコーダ部１２２から入力されるプレゼンテーション情報を復号し、再生部１２４に出力する。
【００４１】
再生部１２４は、受信制御部１３０の制御に従い、Ａ／Ｖデコーダ部１２３で復号されたプレゼンテーション情報を音声データと映像データとに分離する。分離した音声データを音声信号に変換し、音声出力部１２５に出力する。
同様に分離した映像データを映像信号に変換し、映像出力部１２６に音声信号と同期して出力する。この際、受信制御部１３０から番組予約のための表示要素情報の画面データを通知されている場合には、この画面データを分離した映像データに重ねて、映像信号に変換し、映像出力部１２６に出力する。
【００４２】
音声出力部１２５は、再生部１２４から入力されるデジタル音声信号をそのまま、又は、アナログ音声信号に変換して外部のスピーカ（図示せず）に出力する。
映像出力部１２６は、再生部１２４から入力されるデジタル映像信号をＮＴＳＣ方式やＰＡＬ方式等に従い、アナログ映像信号に変換して外部のＣＲＴ等のディスプレイに出力する。なお、デジタル映像信号のまま外部のディスプレイに出力してもよい。
【００４３】
システムテーブル記憶部１２７は、ＲＡＭ等からなり、ＴＳデコーダ部１２２で抽出された各システムテーブルを記憶している。例えば、１９９９年１月１日の１２時には、図６〜図１０に示したＮＩＴ６０１，ＳＤＴ７０１，ＥＩＴ８０１，ＰＡＴ９０１，ＰＭＴ１００１を記憶している。
また、視聴者により、番組「日本紀行」の第１話が予約されているときには、１月１日の２０時には、図６に示したＮＩＴ６０１の他に以下の図１３〜図１６に示す各システムテーブルが記憶されている。
【００４４】
図１３は、ｔｒａｎｓｐｏｒｔ＿ｓｔｒｅａｍ＿ｉｄ「２」に対応するＳＤＴ１３０１を示している。図１４は、番組「日本紀行」の第１話の放送開始時間「ｓｔａｒｔ＿ｔｉｍｅ」等の記載されたＥＩＴ１４０１を示している。図１５は、ｓｅｒｖｉｃｅ＿ｉｄ「９」に対応するＰＡＴ１５０１を示している。図１６は、番組「日本紀行」の第１話のプレゼンテーション情報のＰＩＤを記載したＰＭＴ１６０１を示している。
【００４５】
予約制御情報記憶部１２８は、ＲＡＭ等からなり、ＴＳデコーダ部１２２で抽出されたＲＣＩを記憶している。図１７は、１９９９年１月１日１２時から１２時５分までの間、予約制御情報記憶部１２８に記憶される可能性のあるＲＣＩ１７０１を示している。このＲＣＩ１７０１は、表示制御情報１７０２，１７０３中にスクリプト「ｃｈａｎｇｅ＿ｐｒｅｓｅｎｔａｔｉｏｎ０ｘ００５１」とパケット識別子でプレゼンテーション情報を識別していることのみがデジタル放送送信装置１０１の予約制御情報記憶部１１３に記憶されている図４に示したＲＣＩ４０１と異なる。
【００４６】
入力受信部１２９は、視聴者のリモコン操作等による番組の選択、番組予約等の入力信号を受信する。受信した信号を受信制御部１３０に通知する。
受信制御部１３０は、ＣＰＵと、トランスポートストリームの受信制御及びＲＣＩの解釈のための制御プログラムが格納されているＲＯＭと、作業用記憶領域であるＲＡＭとを有しており、制御プログラムに従い処理を行う。受信制御部１３０の構成は、この制御プログラムによる処理動作として、後述する。
【００４７】
予約情報記憶部１３１は、不揮発性のＲＡＭ等からなり、視聴者による番組予約がなされた場合に、予約された番組を特定するＲＣＩ１７０１中の番組特定情報１７０４，１７０５，１７０６のいずれかの識別番号の組が記憶される。
図１８は、視聴者により番組「日本紀行」の第１話が予約されたときの予約情報記憶部１３１の記憶内容を示している。識別番号の組（８，２，９，３８）である予約情報１８０１は、「日本紀行」の第１話を特定するｏｒｉｇｉｎａｌ＿ｎｅｔｗｏｒｋ＿ｉｄ，  ｔｒａｎｓｐｏｒｔ＿ｓｔｒｅａｍ＿ｉｄ，  ｓｅｒｖｉｃｅ＿ｉｄ，  ｅｖｅｎｔ＿ｉｄの組である。勿論、予約された番組が複数あるときには、この予約情報が複数記憶されている。
【００４８】
また、予約情報１８０１に番組のｓｔａｒｔ＿ｔｉｍｅを併せて記録するようにして、このｓｔａｒｔ＿ｔｉｍｅの所定時間前に各システムテーブルの抽出を開始するようにしてもよい。
時間管理部１３２は、時間を管理しており、受信制御部１３０からの時刻の問い合わせに対して、現在の時刻を通知する。ここで時刻は、年、月、日、時刻の情報を含んでいる。なお、この時間の管理は、トランスポートストリームに多重されたＴＤＴ（Ｔｉｍｅ  Ｄａｔｅ  Ｔａｂｌｅ，  図１２に図示せず、ＤＶＢ規格に定められている）をＴＳデコーダ１２２で抽出し、受信制御部１３０を介して受け取り、このＴＤＴを基に時間を計時している。ここでは、ＴＤＴを基に現在の時間を計時することとしているけれども、内蔵時計により現在の時間を計時するようにしてもよい。
（デジタル放送受信装置１０２の動作）
次に、本実施の形態の動作を、受信制御部１３０の制御を中心に映像出力部１２６から出力されたアナログ映像信号を表示した表示画面（図１９）を参照しながら、図２０、図２１、図２２のフローチャートを用いて説明する。
【００４９】
図１９（ａ）は、ＣＲＴ等のディスプレイに表示される番組予約のための表示画面を示している。この表示画面１９０１は、番組本来の映像データに基づく映像画面（映像データ）１９０２（図１９（ｂ））に受信制御部１３０でＲＣＩ１７０１の表示要素情報１７０７に従い生成された予約画面１９０３（図１９（ｃ））を重ねたものである。図１９（ｄ）は、視聴者による番組予約がなされたときの表示画面１９０４の一例を示している。
【００５０】
先ず、受信制御部１３０は、視聴者の番組の選択を入力受信部１２９を介して受け取る。番組の選択は、ｏｒｉｇｉｎａｌ＿ｎｅｔｗｏｒｋ＿ｉｄ，  ｔｒａｎｓｐｏｒｔ＿ｓｔｒｅａｍ＿ｉｄ，  ｓｅｒｖｉｃｅ＿ｉｄ，  ｅｖｅｎｔ＿ｉｄの組の指定でなされる（Ｓ２００２）。
受信制御部１３０は、選択されたｔｒａｎｓｐｏｒｔ＿ｓｔｒｅａｍ＿ｉｄに対応したトランスポートストリームの受信を受信部１２１に指示する。なお、受信部１２１は、選択されたｏｒｉｇｉｎａｌ＿ｎｅｔｗｏｒｋ＿ｉｄに対応したネットワーク（衛星、ケーブル等）のトランスポートストリームを受信しているものとする。併せて、受信制御部１３０は、システムテーブル記憶部１２７と予約制御情報記憶部１２８との記憶内容を削除する（Ｓ２００４）。
【００５１】
受信制御部１３０は、ＴＳデコーダ部１２２にＮＩＴ，ＳＤＴ，ＥＩＴの各システムテーブルの抽出を指示する（Ｓ２００６）。ＴＳデコーダ部１２２は、受信部１２１から指示されたＮＩＴ，ＳＤＴ，ＥＩＴを抽出し、システムテーブル記憶部１２７に書き込む。
受信制御部１３０は、ＴＳデコーダ部１２２にＰＩＤ「０ｘ００００」を通知し、ＰＡＴの抽出を指示する（Ｓ２００８）。ＴＳデコーダ部１２２は、ＰＡＴを抽出し、システムテーブル記憶部１２７に書き込む。
【００５２】
受信制御部１３０は、システムテーブル記憶部１２７に記憶されているＰＡＴを参照し、ＴＳデコーダ部１２２にＰＭＴのＰＩＤ「０ｘ００３０」を通知し、ＰＭＴの抽出を指示する（Ｓ２０１０）。ＴＳデコーダ部１２２は、ＰＭＴを抽出し、システムテーブル記憶部１２７に書き込む。
受信制御部１３０は、システムテーブル記憶部１２７に記憶されているＰＭＴのｔｙｐｅにＲＣＩがあるか否かを判定する（Ｓ２０１２）。あるときには、ＴＳデコーダ部１２２にそのＰＩＤを通知し、ＰＩＤに対応したＲＣＩの抽出を指示する（Ｓ２０１４）。
【００５３】
ＴＳデコーダ部１２２は、抽出したＲＣＩを予約制御情報記憶部１２８に書き込む（Ｓ２０１６）。
受信制御部１３０は、予約制御情報記憶部１２８に記憶されているＲＣＩの表示要素情報を読み出して解釈し、予約画面を生成し、再生部１２４に通知する（Ｓ２０１８）。
【００５４】
例えば、予約制御情報記憶部１２８にＲＣＩ１７０１が記憶されているときには、受信制御部１３０は、表示要素情報１７０７から図１９（ｃ）に示す予約画面１９０３を生成する。
次に、又はＳ２０１２で否と判定したときは、受信制御部１３０は、ＰＭＴのｔｙｐｅに記載されたｖｉｄｅｏとａｕｄｉｏとに対応するＰＩＤをＴＳデコーダ部１２２にそれぞれ通知し、プレゼンテーション情報のＡ／Ｖデコーダ部１２３への出力を指示する（Ｓ２０２０）。なお、この際、ｖｉｄｅｏに対応するＰＩＤが複数あるときには、最初（図の上段）に記載されたＰＩＤを通知する。
【００５５】
Ａ／Ｖデコーダ部１２３は、ＴＳデコーダ部１２２から入力されるＡ／Ｖデータをデコードし、再生部１２４に出力する（Ｓ２０２２）。
再生部１２４は、予約画面が受信制御部１３０から通知されているときには、予約画面と映像データとを合成する（Ｓ２０２４）。映像信号と音声信号とを映像出力部１２６と音声出力部１２５とにそれぞれ出力する（Ｓ２０２６）。
【００５６】
例えば、再生部１２４に受信制御部１３０から図１９（ｃ）に示す予約画面１９０３が通知されているとき、Ａ／Ｖデコーダ部１２３から図１９（ｂ）に示す映像データ１９０２が入力されていると、映像データ１９０２に予約画面１９０３が重ねられ、図１９（ａ）に示す表示画面１９０１がディスプレイに放映される。
受信制御部１３０は、入力受信部１２９から視聴者の入力信号を待つ（Ｓ２０２８）。
【００５７】
次に、番組の予約受付の処理動作を説明する。
受信制御部１３０は、視聴者からの入力信号を待ち（Ｓ２１０２）、入力信号が予約制御情報記憶部１２８に記憶されているＲＣＩ１７０１の入力操作情報１７０８，１７０９，１７１０のいずれかに対応する信号であるか否かを判定する（Ｓ２１０４）。いずれにも対応しなければＳ２１０２に戻る。
【００５８】
受信制御部１３０は、いずれかの入力操作情報１７０８，１７０９，１７１０に対応する信号であれば、入力操作情報に対する番組特定情報１７０４等があるか否かを判定する（Ｓ２１０６）。あるときは、予約情報記憶部１３１にその番組特定情報１７０４等に記載された予約情報を書き込む（Ｓ２１０８）。
例えば、ディスプレイに表示画面１９０１（図１９（ａ））が表示されている場合に、視聴者がリモコンの「１」キーを押下すると、受信制御部１３０は、入力受信部１２９を介してその入力信号を受け取り、ＲＣＩ１７０１の入力操作情報「ｐｕｓｈ１＿ｋｅｙ」１７０８に対応する信号であると判定し、その番組特定情報「ｒｅｓｅｒｖｅ８，２，９，３８」１７０４を図１８に示すように、予約情報記憶部１３１に予約情報（８，２，９，３８）１８０１として書き込む。
【００５９】
次に、受信制御部１３０は、入力操作情報に対する表示制御情報のうちプレゼンテーション情報の変更命令１７０２等があるか否かを判定する（Ｓ２１１０）。あるときは、入力操作情報に対する表示制御情報のうちプレゼンテーション情報のＰＩＤをＴＳデコーダ部１２２に通知し、そのプレゼンテーション情報の抽出を指示する（Ｓ２１１２）。ＴＳデコーダ部１２２は、ＰＩＤを分離条件として新たなプレゼンテーション情報を抽出し、Ａ／Ｖデコーダ部１２３に出力する。
【００６０】
受信制御部１３０は、入力操作情報に対する表示制御情報のうち表示要素の表示・非表示の変更命令１７１１等があるか否かを判定する（Ｓ２１１４）。あるときは、指定された表示要素（グラフィックオブジェクト）の表示状態を変更した予約画面を生成し、再生部１２４に通知し、映像データとの合成を指示する（Ｓ２１１６）。
【００６１】
再生部１２４は、Ａ／Ｖデコーダ部１２３から入力される映像データと受信制御部１３０から通知された予約画面とを合成し、映像出力部１２６に出力する。これにより、番組予約の受け付け処理を終了する。
例えば、上述した表示画面１９０１において視聴者が「１」キーを押下した場合、予約情報１８０１が予約情報記憶部１３１に書き込まれた後、映像出力部１２６から出力された映像信号によって、ディスプレイは表示画面１９０４に変更される。このとき、表示要素（グラフィックオブジェクト）のＩＤ「５」の内容「予約登録しました」が非表示の状態から表示状態に変更され、また、プレゼンテーション情報もＰＩＤ「０ｘ００５１」のプレゼンテーション（図２に示したプレゼンテーションＩＤ＝７）の静止画２０２に変更されている。
【００６２】
次に、番組予約の実行動作を説明する。
先ず、受信制御部１３０は、予約情報記憶部１３１に予約情報１８０１が記憶されるのを待ち（Ｓ２２０２）、予約情報１８０１に記載のｔｒａｎｓｐｏｒｔ＿ｓｔｒｅａｍ＿ｉｄ＝２に対応するトランスポートストリームを受信するよう受信部１２１に指示し、ＰＩＤ「０ｘ００１２」をＴＳデコーダ部１２２に通知し、ＥＩＴの抽出を指示する。予約情報１８０１に記載したｅｖｅｎｔ＿ｉｄ＝３８に対応する番組のｓｔａｒｔ＿ｔｉｍｅをシステムテーブル記憶部１２７に記憶されたＥＩＴ１４０１を参照して取得する（Ｓ２２０４）。
【００６３】
受信制御部１３０は、時間管理部１３２に現在時刻を問い合わせ、取得したｓｔａｒｔ＿ｔｉｍｅと現在時刻とが一致しているか否かを判定する（Ｓ２２０６）。一致しなければ、Ｓ２２０４に戻り、一致すると判定したときには、システムテーブル記憶部１２７に記憶されている対応する各システムテーブルを参照し、プレゼンテーション情報を識別するＰＩＤをＴＳデコーダ部１２２に通知し、プレゼンテーション情報の抽出を指示する。
【００６４】
ＴＳデコーダ部１２２は、予約番組のプレゼンテーション情報をＡ／Ｖデコーダ部１２３に送出する。Ａ／Ｖデコーダ部１２３は、プレゼンテーション情報を復号し、再生部１２４に出力する。再生部１２４は、音声データと映像データとをそれぞれ音声出力部１２５と映像出力部１２６とに出力する。音声出力部１２５は、外部のスピーカから音声を出力させ、映像出力部１２６は外部のディスプレイに番組映像を放映させる（Ｓ２２０８）。
【００６５】
即ち、システムテーブル記憶部１２７には、図６に示したＮＩＴ６０１と、図１３〜図１６にそれぞれ示したＳＤＴ１３０１と、ＥＩＴ１４０１と、ＰＡＴ１５０１と、ＰＭＴ１６０１とが記憶されている。これらの各システムテーブルに基づいて、ＰＩＤ「０ｘ００８０」、「０ｘ００８１」の映像データと音声データとがＴＳデコーダ部１２２で抽出され、予約番組「日本紀行」の第１話の再生が開始される。
【００６６】
次に、受信制御部１３０は、システムテーブル記憶部１３１に記憶されているＥＩＴ１４０１のｓｔａｒｔ＿ｔｉｍｅとｄｕｒａｔｉｏｎとを読み出し（Ｓ２２１０）、ｓｔａｒｔ＿ｔｉｍｅ＋ｄｕｒａｔｉｏｎ（再生終了時間）を計算し、時間管理部１３２に時刻を問い合わせ、再生終了時間と現在時刻とが一致するか否かを判定する（Ｓ２２１２）。一致しなければＳ２２１０に戻り、一致したときは、ＴＳデコーダ部１２２にプレゼンテーション情報の抽出の停止指示を与えて、再生を終了させ（Ｓ２２１４）、予約情報記憶部１３１に記憶されている当該予約情報を消去させ（Ｓ２２１６）、処理を終了する。
【００６７】
なお、上記実施の形態では、デジタル放送受信装置１０２は、番組予約に対して番組を再生して放映することとしたけれども、ビデオテープレコーダを音声出力部１２５、映像出力部１２６に接続し、録画するようにしてもよい。
また、上記実施の形態では、番組予約のための表示画面は、関連付けられた番組（番組宣伝番組）の選択によって表示されることとしたけれども、予約画面を視聴者のリモコン操作、例えば「予約画面」キーの押下により表示画面に重ねるようにしてもよい。このためには、ＲＣＩの表示要素情報の第５列４１５のデフォルトの表示状態を全て非表示とし、入力操作情報に
0003553809.tif 000002
を加えるようにすればよい。このようにすることによって、例えば、番組宣伝番組でない通常の番組中においても、連続番組であれば次回の予約を、また関連する番組の予約を容易にすることができる。
【００６８】
また、上記実施の形態では、ＲＣＩ４０１，１７０１に操作オブジェクトである「ボタン１」、「ボタン２」、「ボタン３」を記述したけれども、プレゼンテーション情報である映像データ２０１の一部に操作オブジェクトを表示しておくようにしてもよい。このような構成にすれば、予約画面と映像データに基づく映像画面とを合成することを省くことができる。
【００６９】
また、上記実施の形態では、番組予約が完了したとき、プレゼンテーション情報のうち、映像データを新たな映像データに変更するように、２つの映像データ２０１，２０２がトランスポートストリーム１１０１に多重化されていたけれども、番組予約が完了したとき、音声データを変更するようにしてもよい。即ち、トランスポートストリーム１１０１には、２つの音声データを多重化し、表示制御情報１７０２，１７０３を音声データを変更する出力制御情報とすればよい。更に、映像データと音声データとの両方を変更するようにしてもよい。
【００７０】
また、上記実施の形態では、番組予約のための放送番組は、予約対象の番組の放送時間より前に放送されている場合について説明したけれども、例えば、デジタル衛星放送などであればデジタル衛星放送の番組が放送されている時間に番組予約のための放送番組（番組宣伝番組）が放送されていてもよい。この場合には、視聴者による番組予約がされたときには、受信制御部１３０は、予約情報記憶部１３１に予約情報を書き込み、予約情報に記載されたｔｒａｎｓｐｏｒｔ＿ｓｔｒｅａｍ＿ｉｄに対応するトランスポートストリームを受信するよう受信部１２１に指示し、ＴＳデコーダ部１２２にＥＩＴのＰＩＤを通知し、ＥＩＴの抽出を指示する。更に、予約情報に記載されたｅｖｅｎｔ＿ｉｄに対応する番組のｓｔａｒｔ＿ｔｉｍｅとｄｕｒａｔｉｏｎをＥＩＴを参照して取得する。
【００７１】
受信制御部１３０は、時間管理部１３２に現在時刻を問い合わせ、取得したｓｔａｒｔ＿ｔｉｍｅと現在時刻とを比較し、現在時刻が既にｓｔａｒｔ＿ｔｉｍｅを過ぎているときであっても、ｓｔａｒｔ＿ｔｉｍｅ＋ｄｕｒａｔｉｏｎの時間内であれば、直ぐにシステムテーブル記憶部１２７に記憶された最新の予約番組に対応する各システムテーブルを参照し、予約番組のプレゼンテーション情報を抽出するようＴＳデコーダ部１２２に指示する。このようにすることによって、視聴者の予約番組の指示に応じて、予約対象の番組が直ぐに再生されるので、ちょうど、番組を選局するのと同様の効果を得ることができる。
【００７２】
また、上記実施の形態では、ＲＣＩ１７０１に表示要素情報１７０７を含めていたけれども、他の実施の形態として、表示要素情報１７０７を省略し、番組予約操作制御情報の入力操作情報中に表示すべきビットマップデータとして記載してもよい。
また、上記実施の形態では、デジタル放送受信装置１０２は、図１に示すような構成としたけれども。各構成部分の機能を発揮するプログラムを記録媒体に記録するようにして、番組予約の機能のないデジタル放送受信装置にこの記録媒体を装着して、本発明に係るデジタル放送受信装置１０２と同様の効果を発揮するようにしてもよい。
【００７３】
また、上記実施の形態では、デジタル放送送信装置１０１は、Ａ／Ｖデータ記憶部１１１を備えることとして、予約制御情報４０１とともにプレゼンテーション情報をトランスポートストリームに多重化して送信するようにしていたけれども、他の実施の形態では、デジタル放送送信装置は、番組予約の際に用いられる予約制御情報４０１だけをトランスポートストリームに多重化して送信するようにしてもよい。この場合、デジタル放送受信装置１０２では、番組予約を視聴者から受ける際には、受信制御部１３０が生成した予約画面を再生部１２４に通知し、再生部１２４は、映像出力部１２６を介して、外部のディスプレイに予約画面を表示させる。
【００７４】
また、上記実施の形態では、図１１に示したようにトランスポートストリーム１１０１には、複数のプレゼンテーション情報１１０２が多重化されていたけれども、プレゼンテーション情報は、音声データのみでもよいし、映像データのみでもよい。この場合にデジタル放送受信装置１０２では、バックグランド音楽が流れていて、予約画面が表示されたり、背景の映像データに重ねて予約画面が表示されるだけである。
【００７５】
更に、上記実施の形態では、予約がなされた際、予約画面の表示要素の表示・非表示の変更命令１７１１等に従いグラフィックオブジェクトの表示状態を変更したり、プレゼンテーション情報の変更命令１７０２等に従いプレゼンテーション情報を変更していたけれども、他の実施の形態として、放送番組として多重化するプレゼンテーション情報を１つだけにしておき、予約がなされた際、このプレゼンテーション情報を再生出力するようにしてもよい。
【００７６】
この場合には、最先にＲＣＩを抽出し、そのスクリプトが解釈されるものとし、そのスクリプトには、再生部１２４からのプレゼンテーション情報の出力を入力操作情報に対応する操作を受けるまで禁止することを記載しておく。これによって、視聴者による番組予約操作がなされたとき、ＰＭＴ１００１に記載されているＰＩＤを有するプレゼンテーション情報が出力される。
【００７７】
プレゼンテーション情報が音声データであるときには、「予約登録が完了しました」というメッセージにしておけば、予約完了とともに、このメッセージが出力され視聴者に予約完了を知らせることができる。
またプレゼンテーション情報が映像データであるときには、映像データに「予約登録が完了しました」という映像を含めておけば、予約完了とともにこの映像データが予約画面に重ねて表示される。
【００７８】
【発明の効果】
以上説明したように、本発明は、トランスポートストリームをデジタル放送受信装置に送信するデジタル放送送信装置であって、放送番組としての複数の、映像データ及び／又は音声データであるプレゼンテーション情報を記憶しているプレゼンテーション情報記憶手段と、前記デジタル放送受信装置において、視聴者からの番組予約を受け付けるに際して用いられる、視聴者の番組予約操作を記述している第１スクリプトと、当該第１スクリプトに記述されている番組予約操作がなされたとき番組を特定する情報とその情報を予約登録させることを記述した第２スクリプトとからなる予約制御情報を記憶している予約制御情報記憶手段と、前記放送番組を特定する情報と、前記放送番組の放送時間と、前記放送番組を特定する前記情報と前記放送番組とともに送信される予約制御情報とを関連付ける情報とを記載している番組スケジュール情報を記憶している番組スケジュール情報記憶手段と、前記番組スケジュール情報を参照し、前記放送番組の放送時間に相当する送信時間中、当該放送番組のプレゼンテーション情報を読み出したものと、当該放送番組に関連付けられた放送番組の予約制御情報を繰り返し読み出したものとを前記トランスポートストリームに多重化する多重化制御手段と、前記トランスポートストリームを送信する送信手段とを備えることとしている。このような構成によって、デジタル放送送信装置を利用する放送番組提供者は、放送番組中で、第１スクリプトに記述した番組予約操作を視聴者から受け付け、第２スクリプトで特定されている番組の予約登録をさせることができる。
【００７９】
また、前記予約制御情報は、更に、第３スクリプトを含んでおり、第３スクリプトは、番組の予約がされたとき、再生されているプレゼンテーション情報を他のプレゼンテーション情報に変更すること、又は、予約制御情報の一部に含まれているグラフィックデータを再生することを記述していることとしている。このような構成によって、番組の予約登録がなされたことを視聴者に多彩に確認させることができる。
【００８０】
また、前記プレゼンテーション情報に映像データを含む場合、前記第１スクリプトは、前記デジタル放送受信装置で表示要素として表示される操作オブジェクトを含み、前記プレゼンテーション情報の映像データに基づく映像画面に重ねて表示されることとしている。このような構成によって、放送番組の映像画面に重ねた番組予約画面に番組予約の操作オブジェクトを表示させることができる。これによって、視聴者は、例えば操作オブジェクトに付された番号をリモコンを用いて押下することにより、その番号に対応する番組の予約を容易にすることができる。
【００８１】
また、前記第２スクリプトは、複数の番組を特定する情報であることとしている。このような構成によって、視聴者は、一度の番組予約操作で複数の番組の予約をすることができる。
また、前記プレゼンテーション情報記憶手段は、前記放送番組としてのプレゼンテーション情報以外に、前記第２スクリプトで特定される番組としてのプレゼンテーション情報を記憶しているおり、前記番組スケジュール情報記憶手段は、前記第２スクリプトの番組を特定する情報とその第２スクリプトで特定されている番組の放送時間とを記憶しており、前記番組の放送時間を記録したＥＩＴ（Ｅｖｅｎｔ  Ｉｎｆｏｒｍａｔｉｏｎ  Ｔａｂｌｅ）を生成するシステムテーブル生成手段を更に備え、前記多重化制御手段は、生成された前記ＥＩＴを前記番組の放送の所定時間前から前記トランスポートストリームに繰り返し多重化し、前記プレゼンテーション情報記憶手段に記憶されているプレゼンテーション情報を読み出し、前記放送時間に相当する送信時間中前記トランスポートストリームに多重化することとしている。このような構成によって、デジタル放送受信装置で予約された番組を再生することができる。
【００８２】
また、前記第２スクリプトに含まれる番組を特定する情報は、ｏｒｉｇｉｎａｌ＿ｎｅｔｗｏｒｋ＿ｉｄ，  ｔｒａｎｓｐｏｒｔ＿ｓｔｒｅａｍ＿ｉｄ，  ｓｅｒｖｉｃｅ＿ｉｄ，  ｅｖｅｎｔ＿ｉｄの組からなり、前記システムテーブル生成手段は、前記組で特定される番組のプレゼンテーション情報を前記デジタル放送受信装置で抽出するためのシステムテーブル群を生成し、前記多重化制御手段は、生成されたシステムテーブル群を前記番組の放送の所定時間前から前記トランスポートストリームに繰り返し多重化することとしている。このような構成によって、デジタル放送受信装置でシステムテーブルを参照して、予約された番組を確実に再生することができる。
【００８６】
また、本発明は、デジタル放送送信装置から送信される放送番組の映像データ及び／又は音声データである複数のプレゼンテーション情報と、番組予約のための予約制御情報とが多重化されたトランスポートストリームを受信するデジタル放送受信装置であって、前記トランスポートストリームには、前記放送番組の放送時間に相当する送信時間中、当該放送番組のプレゼンテーション情報と、当該放送番組に関連付けられた放送番組の予約制御情報を繰り返したものとが多重化されており、前記トランスポートストリームを受信して、プレゼンテーション情報と、視聴者の番組予約操作を記述している第１スクリプトと、当該第１スクリプトに記述されている番組予約操作がなされたとき番組を特定する情報とその情報を予約登録させることを記述した第２スクリプトとからなる予約制御情報とを抽出する受信抽出手段と、前記抽出されたプレゼンテーション情報に映像データを含む場合、映像データに基づく映像画面を外部のディスプレイへ表示させる表示処理手段と、視聴者から番組予約操作を受け付ける番組予約受付手段と、前記第１スクリプトを解釈し、前記番組予約操作が前記第１スクリプトの内容と一致すると、前記第２スクリプトを実行するスクリプト解釈実行手段とを備えることとしている。このような構成によって、視聴者は、放送番組の多彩な映像画面をみながら予めデジタル放送送信装置側で特定された番組を指示された予約操作をすることで、容易に予約することができる。
【００８７】
また、前記予約制御情報は、更に、第３スクリプトを含んでおり、第３スクリプトは、番組の予約がされたとき、再生されているプレゼンテーション情報を他のプレゼンテーションに変更すること、又は、予約制御情報の一部に含まれているグラフィックデータを再生することを記述しており、前記スクリプト解釈実行手段は、前記第３スクリプトを解釈する第３スクリプト解釈部と、前記第３スクリプトの解釈結果がプレゼンテーション情報の変更のとき、他のプレゼンテーション情報への抽出切換えをするよう前記受信抽出手段を制御し、グラフィックデータの再生のとき、前記予約制御情報からグラフィックデータを抽出し、グラフィックデータを表示するよう前記表示処理手段を制御する情報抽出制御部とを有し、前記表示処理手段は、前記映像画面にグラフィックデータを重ねて外部のディスプレイに表示させることとしている。このような構成によって、視聴者は、番組の予約されたことを確実に知ることができる。
【００８８】
また、前記第１スクリプトは、更に操作オブジェクトを含んでおり、前記表示処理手段は、前記操作オブジェクトを前記映像画面に重ねて表示することとしている。このような構成によって、番組予約画面に表示された操作オブジェクトを指示、例えば、操作オブジェクトに付されたリモコンの番号キーを押下して、予約番組を登録することができる。
【００８９】
また、前記第２スクリプトは、複数の番組を特定する情報であり、前記番組予約受付手段が視聴者から番組予約操作を受け付けると、前記スクリプト解釈実行手段によって第２スクリプトの実行の際に認識される全ての番組を特定する情報を記憶する番組情報記憶手段を更に備えることとしている。このような構成によって、視聴者は、一度に複数の番組の予約を容易にすることができる。
【００９０】
また、前記トランスポートストリームには、予約番組に対応するＥＩＴと予約番組としてのプレゼンテーション情報が多重化されており、前記スクリプト解釈実行手段で得られた番組を特定する情報を記憶する番組情報記憶手段と、時刻を計時するタイマとを更に備え、前記スクリプト解釈実行手段は、前記番組情報記憶手段に記憶されている番組の情報で特定される番組が記載されたＥＩＴを抽出するよう前記受信抽出手段を制御し、前記タイマに計時されている現在時刻を参照し、前記ＥＩＴに記載された放送時間に到達すると、又は、既に到達していると、前記番組としてのプレゼンテーション情報を抽出するよう前記受信抽出手段を制御することとしている。このような構成によって、予約した番組を番組の放送時間になれば、再生することができる。また、番組の予約が、予約する番組の放送時間帯に行われたときには、番組の選局と同様の効果を発揮して、放送番組から予約番組の再生に直ぐに切り替えることができる。
【００９１】
また、前記トランスポートストリームには、システムテーブルが多重化されており、前記第２スクリプトに含まれる番組を特定する情報は、ｏｒｉｇｉｎａｌ＿ｎｅｔｗｏｒｋ＿ｉｄ，  ｔｒａｎｓｐｏｒｔ＿ｓｔｒｅａｍ＿ｉｄ，ｓｅｒｖｉｃｅ＿ｉｄ，  ｅｖｅｎｔ＿ｉｄの組からなり、システムテーブルは、この組で特定される番組を抽出するためのテーブルであり、前記スクリプト解釈実行手段は、システムテーブルを抽出するよう前記受信抽出手段を制御し、前記ＥＩＴに加えて、抽出したシステムテーブルを参照し、前記受信抽出手段を制御することとしている。このような構成によって、確実に予約した番組をトランスポートストリームから抽出し、再生出力することができる。
【００９５】
更に、本発明は、トランスポートストリームを送信するデジタル放送送信装置とトランスポートストリームを受信して外部のディスプレイに番組予約画面を表示させるデジタル放送受信装置とからなるデジタル放送送受信システムであって、前記デジタル放送送信装置は、放送番組としての複数の、映像データ及び／又は音声データであるプレゼンテーション情報を記憶しているプレゼンテーション情報記憶手段と、前記デジタル放送受信装置において、視聴者からの番組予約を受け付けるに際して用いられる、視聴者の番組予約操作を記述している第１スクリプトと、当該第１スクリプトに記述されている番組予約操作がなされたとき番組を特定する情報とその情報を予約登録させることを記述した第２スクリプトとからなる予約制御情報を記憶している予約制御情報記憶手段と、前記放送番組を特定する情報と、前記放送番組の放送時間と、前記放送番組を特定する前記情報と前記放送番組とともに送信される予約制御情報とを関連付ける情報とを記載している番組スケジュール情報を記憶している番組スケジュール情報記憶手段と、前記番組スケジュール情報を参照し、前記放送番組の放送時間に相当する送信時間中、当該放送番組のプレゼンテーション情報を読み出したものと、当該放送番組に関連付けられた放送番組の予約制御情報を繰り返し読み出したものとを前記トランスポートストリームに多重化する多重化制御手段と、前記トランスポートストリームを送信する送信手段とを備え、前記デジタル放送受信装置は、前記トランスポートストリームを受信して、プレゼンテーション情報と予約制御情報とを抽出する表示処理手段と、前記プレゼンテーション情報に映像データを含む場合、映像データに基づく映像画面を前記ディスプレイへ表示させる表示処理手段と、視聴者から番組予約操作を受け付ける番組予約受付手段と、前記第１スクリプトを解釈し、前記番組予約操作が前記第１スクリプトの内容と一致すると、前記第２スクリプトを実行するスクリプト解釈実行手段とを備えることとしている。このような構成によって、デジタル放送送受信システムでは、視聴者は、放送番組の映像画面を見ながら、放送番組提供者が予め予約対象とした番組の予約を容易にすることができる。
【００９６】
また、本発明は、デジタル放送送信装置から送信される放送番組の映像データ及び／又は音声データである複数のプレゼンテーション情報と、番組予約のための予約制御情報とが多重化されたトランスポートストリームを受信して、前記映像データの映像信号を出力し、外部のディスプレイに表示するデジタル放送受信装置に適用されるプログラムを記録したコンピュータ読み取り可能な記録媒体であって、前記トランスポートストリームには、前記放送番組の放送時間に相当する送信時間中、当該放送番組のプレゼンテーション情報と、当該放送番組に関連付けられた放送番組の予約制御情報を繰り返したものとが多重化されており、前記トランスポートストリームを受信して、プレゼンテーション情報と視聴者の番組予約操作を記述している第１スクリプトと、当該第１スクリプトに記述されている番組予約操作がなされたとき番組を特定する情報とその情報を予約登録させることを記述した第２スクリプトとからなる予約制御情報とを抽出する受信抽出手段と、前記プレゼンテーション情報に映像データを含む場合、映像データに基づく映像画面を前記ディスプレイへ表示させる表示処理手段と、視聴者から番組予約操作を受け付ける番組予約受付手段と、前記第１スクリプトを解釈し、前記番組予約操作が前記第１スクリプトの内容と一致すると、前記第２スクリプトを実行するスクリプト解釈手段との各機能を発揮するプログラムを記録した記録媒体としている。このような構成によって、この記録媒体をこのような機能を有しないデジタル放送受信装置に適用して番組予約の容易なデジタル放送受信装置を得ることができる。
【００９７】
また、本発明は、トランスポートストリームをデジタル放送受信装置に送信するデジタル放送送信方法であって、
放送番組としての複数の、映像データ及び／又は音声データであるプレゼンテーション情報を記憶しているプレゼンテーション情報記憶ステップと、
前記デジタル放送受信方法において、視聴者からの番組予約を受け付けるに際して用いられる、視聴者の番組予約操作を記述している第１スクリプトと、当該第１スクリプトに記述されている番組予約操作がなされたとき番組を特定する情報とその情報を予約登録させることを記述した第２スクリプトとからなる予約制御情報を記憶する予約制御情報記憶ステップと、
前記放送番組を特定する情報と、前記放送番組の放送時間と、前記放送番組を特定する前記情報と前記放送番組とともに送信される予約制御情報とを関連付ける情報とを記載している番組スケジュール情報を記憶する番組スケジュール情報記憶ステップと、
前記番組スケジュール情報を参照し、前記放送番組の放送時間に相当する送信時間中、当該放送番組のプレゼンテーション情報を読み出したものと、当該放送番組に関連付けられた放送番組の予約制御情報を繰り返し読み出したものとを前記トランスポートストリームに多重化する多重化制御ステップと、
前記トランスポートストリームを送信する送信ステップを有することとしている。
【００９９】
また、本発明は、デジタル放送送信装置から送信される放送番組の映像データ及び／又は音声データである複数のプレゼンテーション情報と、番組予約のための予約制御情報とが多重化されたトランスポートストリームを受信するデジタル放送受信方法であって、前記トランスポートストリームには、前記放送番組の放送時間に相当する送信時間中、当該放送番組のプレゼンテーション情報と、当該放送番組に関連付けられた放送番組の予約制御情報を繰り返したものとが多重化されており、前記トランスポートストリームを受信して、プレゼンテーション情報と、視聴者の番組予約操作を記述している第１スクリプトと、当該第１スクリプトに記述されている番組予約操作がなされたとき番組を特定する情報とその情報を予約登録させることを記述した第２スクリプトとからなる予約制御情報とを抽出する受信抽出ステップと、前記抽出されたプレゼンテーション情報に映像データを含む場合、映像データに基づく映像画面を外部のディスプレイへ表示させる表示処理ステップと、視聴者から番組予約操作を受け付ける番組予約受付ステップと、前記第１スクリプトを解釈し、前記番組予約操作が前記第１スクリプトの内容と一致すると、前記第２スクリプトを実行するスクリプト解釈実行ステップとを有することとしている。このような方法によって、視聴者は、番組予約を容易にすることができる。
【図面の簡単な説明】
【図１】本発明に係るデジタル放送送受信システムの一実施の形態の構成図である。
【図２】上記実施の形態のＡ／Ｖデータ記憶部に記憶されている映像データを模式的に示した図である。
【図３】上記実施の形態の番組スケジュール情報記憶部に記憶されている番組スケジュール情報の一例である。
【図４】上記実施の形態のデジタル放送送信装置の予約制御情報記憶部に記憶されている予約制御情報の一例である。
【図５】上記実施の形態において、図４に示した予約制御情報の表示要素を表示させた場合の初期表示画面である。
【図６】上記実施の形態のシステムテーブル生成部で生成されるＮＩＴの一例を示す図である。
【図７】上記実施の形態のシステムテーブル生成部で生成されるＳＤＴの一例を示す図である。
【図８】上記実施の形態のシステムテーブル生成部で生成されるＥＩＴの一例を示す図である。
【図９】上記実施の形態のシステムテーブル生成部で生成されるＰＡＴの一例を示す図である。
【図１０】上記実施の形態のシステムテーブル生成部で生成されるＰＭＴの一例を示す図である。
【図１１】上記実施の形態の送信部から送信されるトランスポートストリームを模式的に示した図である。
【図１２】上記実施の形態のデジタル放送送信装置の動作を説明するフローチャートである。
【図１３】上記実施の形態のシステムテーブル記憶部に記憶されているＳＤＴの一例を示す図である。
【図１４】上記実施の形態のシステムテーブル記憶部に記憶されているＥＩＴの一例を示す図である。
【図１５】上記実施の形態のシステムテーブル記憶部に記憶されているＰＡＴの一例を示す図である。
【図１６】上記実施の形態のシステムテーブル記憶部に記憶されているＰＭＴの一例を示す図である。
【図１７】上記実施の形態のデジタル放送受信装置の予約制御情報記憶部に記憶されている予約制御情報の一例を示す図である。
【図１８】上記実施の形態の予約情報記憶部に記憶されている予約情報の一例を示す図である。
【図１９】（ａ）は、上記実施の形態の映像出力部から出力された映像信号が外部のディスプレイに表示された番組予約のための表示画面の一例である。
（ｂ）は、上記実施の形態の番組本来の映像データのディスプレイへの表示例である。
（ｃ）は、上記実施の形態の図１９（ｂ）に重ねられる予約制御情報に記載された表示要素情報をディスプレイに表示させたときの予約画面例である。
（ｄ）は、上記実施の形態で、番組予約がなされた後のディスプレイに表示された番組予約のための表示画面の一例である。
【図２０】上記実施の形態におけるデジタル放送受信装置での図１９（ａ）に示した表示画面を表示する動作を説明するフローチャートである。
【図２１】上記実施の形態におけるデジタル放送受信装置での番組予約のための動作を説明するフローチャートである。
【図２２】上記実施の形態におけるデジタル放送受信装置での番組予約の実行動作を説明するフローチャートである。
【符号の説明】
１０１  デジタル放送送信装置
１０２  デジタル放送受信装置
１０３  放送経路
１１１  Ａ／Ｖデータ記憶部
１１２  番組スケジュール情報記憶部
１１３  予約制御情報記憶部
１１４  システムテーブル生成部
１１５  送信制御部
１１６  多重化部
１１７  送信部
１２１  受信部
１２２  ＴＳデコーダ部
１２３  Ａ／Ｖデコーダ部
１２４  再生部
１２５  音声出力部
１２６  映像出力部
１２７  システムテーブル記憶部
１２８  予約制御情報記憶部
１２９  入力受信部
１３０  受信制御部
１３１  予約情報記憶部
１３２  時間管理部
【図１】
0003553809.tif 000003
【図２】
0003553809.tif 000004
【図３】
0003553809.tif 000005
【図４】
0003553809.tif 000006
【図５】
0003553809.tif 000007
【図６】
0003553809.tif 000008
【図７】
0003553809.tif 000009
【図８】
0003553809.tif 000010
【図９】
0003553809.tif 000011
【図１０】
0003553809.tif 000012
【図１１】
0003553809.tif 000013
【図１２】
0003553809.tif 000014
【図１３】
0003553809.tif 000015
【図１４】
0003553809.tif 000016
【図１５】
0003553809.tif 000017
【図１６】
0003553809.tif 000018
【図１７】
0003553809.tif 000019
【図１８】
0003553809.tif 000020
【図１９】
0003553809.tif 000021
【図２０】
0003553809.tif 000022
【図２１】
0003553809.tif 000023
【図２２】
0003553809.tif 000024